(57)【特許請求の範囲】
【請求項１】
放送用の映像から代表静止映像を生成する代表静止映像自動生成装置であって、
周囲状況の映像を撮影する第１のテレビカメラと、
該第１のテレビカメラによる撮影と同時に撮影が行われ、放送用の映像を撮影する第２のテレビカメラと、
前記第１のテレビカメラにより撮影された周囲状況の映像をブロックに細分化し、ブロック毎にブロック内の色と輝度の変化を実時間で解析して求め、当該実時間の色と輝度の変化に基づいてフラッシュのブロックの位置を特定し、フラッシュのブロック数が予め定めた閾値以上のときにトリガを発生するフラッシュ量解析部と、
該トリガのタイミングにおいて前記第２のテレビカメラにより撮影された放送用の映像から１枚の映像を抜き取ることで代表静止映像を生成する代表静止映像生成部と
を具えてなることを特徴とする代表静止映像自動生成装置。
【請求項２】
請求項１に記載の代表静止映像自動生成装置において、
前記第２のテレビカメラによって撮影された収録ずみの放送用映像を再生する映像再生装置をさらに具え、
前記フラッシュ量解析部が、さらに、前記トリガ発生時の時刻情報を出力し、
前記代表静止映像生成部が、さらに、前記時刻情報に対応する放送用映像の収録開始からの経過時間に同期して、前記映像再生装置により再生された放送用映像から１枚の映像を抜き取ることで代表静止映像を生成する、
ことを特徴とする代表静止映像自動生成装置。
【発明の詳細な説明】
【０００１】
【発明の属する技術分野】
本発明は、放送用映像（動き映像）から注目に値する瞬間の静止映像（以下、代表静止映像と言う）を自動的に生成する代表静止映像自動生成装置に関する。
【０００２】
【従来の技術】
動き映像データベースの制作においては、それぞれの動き映像は代表静止映像により表現されることが多いが、これは、既に収録された動き映像全体を見て、そのなかから人が代表静止映像を選ぶことで行われていた。
【０００３】
【発明が解決しようとする課題】
しかしながら、上述した方法では、既に収録された動き映像の全体を見て、そのなかから人が代表静止映像を選んでいるため、手間がかかり、そのため、代表静止映像の生成に時間がかかるという解決すべき課題があった。
【０００４】
本発明の目的は、人手をかけずに、自動的に代表静止映像を生成する代表静止映像自動生成装置を提供することにある。
【０００５】
【課題を解決するための手段】
上記目的を達成するために、本発明代表静止映像自動生成装置は、放送用の映像から代表静止映像を生成する代表静止映像自動生成装置であって、周囲状況の映像を撮影する第１のテレビカメラと、該第１のテレビカメラによる撮影と同時に撮影が行われ、放送用の映像を撮影する第２のテレビカメラと、前記第１のテレビカメラにより撮影された周囲状況の映像をブロックに細分化し、ブロック毎にブロック内の色と輝度の変化を実時間で解析して求め、当該実時間の色と輝度の変化に基づいてフラッシュのブロックの位置を特定し、フラッシュのブロック数が予め定めた閾値以上のときにトリガを発生するフラッシュ量解析部と、該該トリガのタイミングにおいて前記第２のテレビカメラにより撮影された放送用の映像から１枚の映像を抜き取ることで代表静止映像を生成する代表静止映像生成部とを具えてなることを特徴とするものである。
【０００６】
また、本発明の他の実施態様による代表静止映像自動生成装置は、前記第２のテレビカメラによって撮影された収録ずみの放送用映像を再生する映像再生装置をさらに具え、前記フラッシュ量解析部が、さらに、前記トリガ発生時の時刻情報を出力し、前記代表静止映像生成部が、さらに、前記時刻情報に対応する放送用映像の収録開始からの経過時間に同期して、前記映像再生装置により再生された放送用映像から１枚の映像を抜き取ることで代表静止映像を生成する、ことを特徴とするものである。
【０００７】
【発明の実施の形態】
以下に添付図面を参照し、発明の実施の形態に基づいて本発明を詳細に説明する。
図１は、本発明代表静止映像自動生成装置の一実施形態をブロック図にて示している。
図１において、１は周囲状況撮影用テレビカメラ、２はフラッシュ量解析部、３は放送用テレビカメラ、４は代表静止映像生成部である。
【０００８】
図２は、本発明のためのテレビカメラの配置を、相撲競技の中継放送を例にとって示している。
以下に、図１および図２に基づいて本発明装置の動作を説明する。
周囲状況撮影用テレビカメラ１は、図２に示すように、競技場の天井から釣り下げられ、土俵の周りに待機している報道カメラマンを含む広範囲の映像を撮影する。
【０００９】
図３は、周囲状況撮影用テレビカメラ１で撮影された広範囲の映像の一例を示している。
周囲状況撮影用テレビカメラ１の撮影出力は、フラッシュ量解析部２に供給される。フラッシュ量解析部２においては、周囲状況撮影用テレビカメラ１で撮影された広範囲の映像（図３参照）から報道カメラマンが炊いたフラッシュ量を実時間で解析する。解析の結果、炊かれたフラッシュ量が予め定めた量以上のときは、トリガを発生し、そのトリガのタイミングにおいて放送用テレビカメラ３により撮影された放送用の映像から１フレームまたは１フィールドからなる１枚の映像を抜き取ることで代表静止映像を生成するように、上記トリガを代表静止映像生成部４に供給する。
【００１０】
代表静止映像生成部４としては、キャプチャーボード（商品名）等を使用してもよく、要は、当該回路４に順次入力される放送用映像（放送用テレビカメラ３によって発生する）のうち、トリガ発生時点の映像を代表静止映像として出力できるものであればよい。
【００１１】
図１に示す構成は、放送用テレビカメラ３の撮影映像出力から代表静止映像生成部４において１枚の映像を抜き取ることによって、代表静止映像を生成する場合を示しているが、これはまた、既に収録された放送用映像から１枚の映像を抜き取ることによって、代表静止映像を生成するようにすることもできる。
【００１２】
後者の場合には、フラッシュ量解析部２で解析して求められたフラッシュ量が予め定めた量以上のときに対応する放送用映像の収録開始からの経過時間に同期して、再生された放送用映像から１枚の映像を抜き取ることによって代表静止映像を生成するようにする。
【００１３】
次に、フラッシュ量解析部２の動作についてより詳細に説明する。
フラッシュ量の解析は、周囲状況撮影用テレビカメラ１で撮影された広範囲の映像（図３参照）の輝度変化を用い、画像処理によって行われる。
【００１４】
図４は、画像処理の一例をフローチャートにて示している。
この画像処理は、フラッシュ量の解析を行うための前処理として、周囲状況撮影用テレビカメラ１で撮影された広範囲の映像（図３参照）を、図５に示すように、小ブロックに細分化する処理（ステップＳ−１）を含んでいる。ここに、細分化されたブロックの大きさは、周囲状況撮影用テレビカメラ１の釣り下げ位置とフラッシュが炊かれる位置等により決める。
【００１５】
次に、ステップＳ−１で小ブロックに細分化された映像について、フラッシュの炊かれる位置が特定できるときは（例えば、相撲競技の場合、土俵上でフラッシュが炊かれることはあり得ない）、フラッシュ量を解析するブロックがフラッシュの炊かれる可能性のある位置のみとなるように、解析すべきブロックを指定する（ステップＳ−２）。
【００１６】
以上で前処理の段階が終了し、フラッシュ量の解析に入る。
まず、ステップＳ−２で指定されたブロック毎にブロック内の色と輝度の変化を実時間で計算する（ステップＳ−３）。その結果、白色が短時間に高輝度で出現したブロックでは、そのブロックはフラッシュが炊かれたと判定する（ステップＳ−４）。フラッシュが炊かれたブロックの数を集計し、集計結果があらかじめ定めた閾値以上である場合、代表静止映像生成のトリガを発生（放送用テレビカメラ３の撮影映像出力から１枚の映像を抜き取ることによって、代表静止映像を生成する場合）し、また、代表静止映像を生成すべき時刻情報を出力（再生された放送用映像から１枚の映像を抜き取ることで代表静止映像を生成する場合）するようにする（ステップＳ−５）。
【００１７】
ステップＳ−５により、トリガもしくは時刻情報が得られた後は、再びステップＳ−３に戻ってブロック内の色と輝度の変化を実時間で計算する。これを繰り返すことにより、放送用テレビカメラの出力映像もしくは既に収録された放送用映像から代表静止映像を生成するためのトリガもしくは時刻情報が連続して得られることになる。
【００１８】
図６は、本発明代表静止映像自動生成装置の他の実施形態をブロック図にて示している。
本実施形態は、図１示す本発明代表静止映像自動生成装置において、放送用テレビカメラ３とフラッシュ量解析部２を複数にしたものである。図６に示す構成において、フラッシュ量解析部２で発生したトリガを代表静止映像生成部４−１，４−２，４−３にそれぞれ供給することにより、３つの方向の映像を撮影している各テレビカメラ３−１，３−２，３−３からの決定的瞬間の代表静止映像１，２，３をそれぞれ同時に自動生成することができる。
【００１９】
上述した本発明の実施の形態においては、相撲競技の中継放送の場合に代表静止映像を自動生成するものとしたが、これは、相撲競技以外に、サッカー、バスケットボウルなど他のスポーツや、他のイベントの放送の場合にも本発明を適用可能であること勿論である。
【００２０】
【発明の効果】
本発明によれば、人手をかけずに代表静止映像を自動生成することが可能となり、そのため、これまで時間のかかっていた代表静止映像の選択、見出しづくりなどへの支援や、新しいコンテンツ制作への応用が期待される。
【図面の簡単な説明】
【図１】  本発明代表静止映像自動生成装置の一実施形態をブロック図にて示している。
【図２】  本発明のためのテレビカメラの配置を、相撲競技の中継放送を例にとって示している。
【図３】  周囲状況撮影用テレビカメラで撮影された広範囲の映像の一例を示している。
【図４】  画像処理の一例をフローチャートにて示している。
【図５】  小ブロックに細分化された広範囲の映像を示している。
【図６】  本発明代表静止映像自動生成装置の他の実施形態をブロック図にて示している。
【符号の説明】
１  周囲状況撮影用テレビカメラ
２  フラッシュ量解析部
３，３−１，３−２，３−３  放送用テレビカメラ
４，４−１，４−２，４−３  代表静止映像生成部
【図１】
0004256077.tif 000002
【図２】
0004256077.tif 000003
【図３】
0004256077.tif 000004
【図４】
0004256077.tif 000005
【図５】
0004256077.tif 000006
【図６】
0004256077.tif 000007